(57)【要約】【課題】  加速度センサを二輪車の車体の高さ方向に沿うように配置しても車体の転倒を容易に判断できる転倒検出装置を提供すること。【解決手段】  スロットルボディ１７の側面に制御ブロック２７が形成され、制御ブロック２７は、スロットルボディ１７に関する各センサ３１，４１と制御基板５２から構成されており、制御ブロック２７の内部に設けられた二輪車の転倒検出装置５１であって、二輪車の車体の高さ方向に沿うように配置され、車体傾斜角の正弦成分の重力加速度を検出する加速度センサ５４と、加速度センサ５４から検出された信号に基づいて車体の転倒を判断する転倒判断手段を有するＣＰＵ５５とを備えたことを特徴とする。【選択図】    図２
2006056307.tif 000002
【特許請求の範囲】
【請求項１】
スロットルボディ側面に制御ブロックが形成され、
前記制御ブロックは、前記スロットルボディに関する各センサと制御基板から構成されており、
前記制御ブロックの内部に設けられた二輪車の転倒検出装置であって、
二輪車の車体の高さ方向に沿うように配置され、車体傾斜角の正弦成分の重力加速度を検出する加速度センサと、
前記加速度センサから検出された信号に基づいて前記車体の転倒を判断する転倒判断手段とを備えたことを特徴とする二輪車の転倒検出装置。
【請求項２】
前記加速度センサは、前記二輪車の車体の高さ方向を基準とする静電容量型センサを用いることを特徴とする請求項１記載の二輪車の転倒検出装置。
【請求項３】
前記スロットルボディは、前記車体のシート下方空間部に設けられていることを特徴とする請求項１または２記載の二輪車の転倒検出装置。
【請求項４】
前記加速度センサの検出信号に基づいて前記傾斜角を算出する傾斜角算出手段と、
前記車体が転倒したことを判断する転倒判断角度を予め設定する転倒角度設定手段と、
前記加速度センサの誤差を考慮した誤差角度を予め設定する誤差角度設定手段と、
前記転倒判断角度と前記誤差角度から、転倒判断閾値の範囲を設定する閾値範囲設定手段とを備え、
前記転倒判断手段は、前記傾斜角が前記転倒判断閾値の範囲内にあったときに前記車両が転倒したと判断することを特徴とする請求項１から３のいずれか１項に記載の二輪車の転倒検出装置。
【請求項５】
前記傾斜角に対する前記加速度センサの出力電圧を予めマップ化して記憶するメモリを備えたことを特徴とする請求項４記載の二輪車の転倒検出装置。
【請求項６】
前記傾斜角が前記転倒判断閾値の範囲内にあったときに始動するタイマーを設け、前記タイマーにより、前記傾斜角が前記転倒判断閾値の範囲内にあり一定期間経過したときに、前記車体が転倒したと判断することを特徴とする請求項４または５記載の二輪車の転倒検出装置。
【発明の詳細な説明】
【技術分野】
【０００１】
本発明は、二輪車の転倒検出装置に関し、特に自動二輪車に用いられる転倒検出装置に関するものである。
【背景技術】
【０００２】
例えば、自動二輪車に用いられる転倒検出装置の中には、車体傾斜センサを用いて車体の転倒を検出するものがある。これは、車体にケースを取付け、左右端にマグネットを取付けたウエイトをケース内にスイング自在に吊下げ、ケース内の端部にリードスイッチを取付けた構成であって、このウエイトがスイングしてマグネットがリードスイッチに近接したときにオンになることで車体の転倒を検出している（特許文献１参照）。
しかしながら、このように車体の転倒を機械的に検出する車体傾斜センサにおいては、その転倒検出精度や信頼性において改良すべき点があり、その改良のために部品点数の増加およびサイズの大型化、ならびにコストの増加を伴うこととなっていた。
【０００３】
そこで、電子制御ユニット（ＥＣＵ）に加速度センサを設け、この加速度センサを転倒センサとして用いたものが提案されている（特許文献２参照）。この技術は、車体の幅方向の重力加速度を検出し、この重力加速度から転倒しているか否かを判断するものである。この技術では、ＥＣＵと別体のセンサを別の場所に設置する必要がなくなるため、上記特許文献１の車体傾斜センサに比べ、検出精度の向上とともにスペースの縮小が図られ、構造が簡素化しコストが低減する。
【０００４】
また、このように加速度センサにより車体の幅方向の重力加速度を検出するように構成すると、車体が傾斜したときの傾斜角に対して重力加速度の正弦成分を検出するため、車体が真直ぐな状態（傾斜角０°）から転倒した状態（傾斜角９０°）までの検出値が正弦波形で表される。その結果、転倒判断の閾値付近で変化量を大きく確保できない上下方向の重力加速度を検出する場合に比較して、傾斜角０°から転倒判断の閾値（通常は傾斜角７０°〜９０°の間の値）までの変化量が大きくなるため、転倒判断がしやすくなる。
【特許文献１】特開２００２−６８０６２号公報
【特許文献２】特開２００２−７１７０３号公報
【発明の開示】
【発明が解決しようとする課題】
【０００５】
ところが、前述したように加速度センサをＥＣＵに設けたとき、ＥＣＵを制御ブロックに収納してその制御ブロックをスロットルボディに一体化すると、通常シート下に配置しようとする場合、高さ方向の制約からスロットルボディの側部に制御ブロックが位置するようにして収納せざるを得ない。そのため、加速度センサは縦置き、すなわち二輪車の車体の高さ方向に沿うように配置され上下方向の加速度を検出することで転倒検出を行うこととなり、余弦波形しか得られず、その結果、前述したように転倒判断の閾値付近での変化量を大きく確保することができなくなる。
一方、これに対処するために制御ブロックをスロットルボディの上部に位置するようにすれば、上記の問題を解決できるが、シート下の上下方向のスペースが増加し、足付き性が悪化する。
【０００６】
本発明は、このような事情を考慮してなされたもので、加速度センサを二輪車の車体の高さ方向に沿うように配置しても車体の転倒を容易に判断できる転倒検出装置を提供することを目的とする。
【課題を解決するための手段】
【０００７】
本発明は、上記課題を解決するため、以下の手段を採用する。すなわち本発明は、スロットルボディ側面に制御ブロックが形成され、前記制御ブロックは、前記スロットルボディに関する各センサと制御基板から構成されており、前記制御ブロックの内部に設けられた二輪車の転倒検出装置であって、二輪車の車体の高さ方向に沿うように配置され、車体傾斜角の正弦成分の重力加速度を検出する加速度センサと、前記加速度センサから検出された信号に基づいて前記車体の転倒を判断する転倒判断手段とを備えたことを特徴とする。
【０００８】
スロットルボディの幅方向の一端にはスロットルドラム等の構成要素が設けられるため、制御ブロックをスロットルボディと一体に取付ける際、スロットルボディの他端に設ける必要があり、制御ブロックの配置が制限される。そこで、制御ブロックの内部において二輪車の車体の高さ方向に沿うように加速度センサを配置すると、配置が制限された制御ブロック内で各センサとともに集約された設置が可能となる。
このように設置された加速度センサが、車体が傾斜したときに傾斜角の正弦成分の重力加速度を検出することで、傾斜角０°から転倒判断の閾値（通常は傾斜角７０°〜９０°の間の値）までの変化量が大きくなるため、車体の傾斜角を容易に検出でき、転倒判断手段によって車体の転倒を判断しやすくなる。
【０００９】
また、本発明の転倒検出装置において、前記加速度センサは、前記二輪車の車体の高さ方向を基準とする静電容量型センサを用いることを特徴とする。
【００１０】
二輪車の車体の高さ方向を基準とする静電容量型センサを用いることで、二輪車の車体の高さ方向に沿うように加速度センサを配置すると、加速度センサが二輪車の車体の幅方向に作用する加速度を検出する。すなわち、車体が傾斜したときに傾斜角の正弦成分の重力加速度を検出することとなる。
【００１１】
また、本発明の転倒検出装置において、前記スロットルボディは、前記車体のシート下方空間部に設けられることを特徴とする。
【００１２】
車体のシートの下方に設けられた空間部は、車体の構成上、車体の幅方向に延在している。そこで、スロットルボディをこの空間部に設置することで、加速度センサが制御ブロック内で二輪車の車体の高さ方向に沿うように配置されるため、加速度センサが設置される制御ブロックの外側には所定のスペースが確保される。このように、スロットルボディに取付けられた制御ブロックと、シートの下方の空間部を形成する部材とが離間していることで、車体が転倒してもその衝撃が制御ブロックに直接伝達されにくくなるため、加速度センサが車体の転倒による衝撃を回避しやすくなる。
また、制御ブロックをスロットルボディの上部に配置する必要がないため、シート下のスペースを増加させる必要がない。
【００１３】
また、本発明の転倒検出装置において、前記加速度センサの検出信号に基づいて前記傾斜角を算出する傾斜角算出手段と、前記車体が転倒したことを判断する転倒判断角度を予め設定する転倒角度設定手段と、前記加速度センサの誤差を考慮した誤差角度を予め設定する誤差角度設定手段と、前記転倒判断角度と前記誤差角度から、転倒判断閾値の範囲を設定する閾値範囲設定手段とを備え、前記転倒判断手段は、前記傾斜角が前記転倒判断閾値の範囲内にあったときに前記車両が転倒したと判断することを特徴とする。
【００１４】
上記のような手段を設けて、加速度センサの検出信号に基づいて算出された車体の傾斜角が転倒判断閾値の範囲内であるか否かによって車体の転倒を判断することで、二輪車が車体を傾斜させながら走行中であるか、あるいは車体が転倒した状態であるかを容易に識別することが可能となる。
【００１５】
また、本発明の転倒検出装置において、前記傾斜角に対する前記加速度センサの出力電圧を予めマップ化して記憶するメモリを備えたことを特徴とする。
【００１６】
傾斜角に対する加速度センサの出力電圧を予めマップ化して記憶しておくことで、傾斜角と転倒判断閾値の範囲とをマップを用いて出力電圧で比較するため、傾斜角と転倒判断閾値の範囲とを比較する時間を短縮することが可能となる。
【００１７】
また、本発明の転倒検出装置において、前記傾斜角が前記転倒判断閾値の範囲内にあったときに始動するタイマーを設け、前記タイマーにより、前記傾斜角が前記転倒判断閾値の範囲内にあり一定期間経過したときに、前記車体が転倒したと判断することを特徴とする。
【００１８】
例えば競技用バイクがレースで走行する場合、車体を大きく傾斜させて走行することがあるため、走行中に車体の傾斜角が転倒判断角度にほぼ一致した状態となることがある。しかし、一時的にこのような走行状態であった場合でも、一定期間を経過する前に車体の傾斜角が０°の方向に復帰して、車体の傾斜角が転倒判断角度から外れる。そこで、車体の傾斜角が転倒判断閾値の範囲内であったときにタイマーを始動させ、その一定期間が経過するまでの間、車体の傾斜角が転倒判断閾値の範囲内であったとき、車体が転倒したと判断する。これによって、車体を大きく傾斜させた状態で走行中であるか、あるいは車体が転倒した状態であるかを容易に識別することが可能となる。
また、競技用バイクがレース中に転倒した場合でも、一定期間が経過するまでの間、車体が転倒したと判断しないため、その間はエンジンを停止させる等の制御を行わない。したがって、このようにタイマーを設けたことで、競技用バイクが転倒してもその直後にエンジンを再始動するような手間を要することなくレースに復帰することが可能である。
【発明の効果】
【００１９】
本発明の転倒検出装置によれば、傾斜角の正弦成分の重力加速度を検出することにより、車体の傾斜角を容易に検出でき、転倒判断手段によって車体の転倒を判断しやすくなるので、加速度センサを二輪車の車体の高さ方向に沿うように配置しても車体の転倒を容易に判断することができる。
【００２０】
また、本発明の転倒検出装置によれば、加速度センサが二輪車の車体の幅方向に作用する加速度を検出するので、加速度センサを二輪車の車体の高さ方向に沿うように配置しても車体の傾斜角を容易に検出することができる。
【００２１】
また、本発明の転倒検出装置によれば、車体が転倒してもその衝撃が制御ブロックに直接伝達されにくくなり、加速度センサが転倒による衝撃を回避しやすくなるので、加速度センサの衝撃による不具合を回避することができる。
また、シート下のスペースを増加させる必要がないので、足付き性を確保することができる。
【００２２】
また、本発明の転倒検出装置によれば、二輪車が車体を傾斜させながら走行中であるか、あるいは車体が転倒した状態であるかを容易に識別することが可能となるので、車体が転倒したことを誤認することなく確実に判断することができる。
【００２３】
また、本発明の転倒検出装置によれば、車体の傾斜角と転倒判断閾値の範囲とを比較する時間を短縮することが可能となるので、車体の転倒を判断するまでの時間を短縮することができる。
【００２４】
また、本発明の転倒検出装置によれば、車体を大きく傾斜させた状態で走行中であるか、あるいは車体が転倒した状態であるかを容易に識別することが可能となるので、車体が転倒したことを誤認することなく確実に判断することができる。また、競技用バイクの場合、転倒しても手間を要することなくレースに復帰できるので、タイムロスを防止することができる。
【発明を実施するための最良の形態】
【００２５】
以下、本発明の実施の形態について、図面を参照して説明する。なお、本実施の形態においては、自動二輪車の転倒検出装置について説明するものであるが、本発明の転倒検出装置は、自動二輪車に限定するものではなく、自動で走行しない二輪車にも適用可能である。
図１は、自動二輪車のシートの下部の部分断面図である。
自動二輪車の車体１には、シート２をリッドに兼用して上部に配置したラゲッジボックス３が、車体１の前後方向に長く設置されている。このラゲッジボックス３の下部には、ボディフレーム１１，１１が車体１の前後方向に長く左右一対に設置されており、ラゲッジボックス３を支持している。また、ラゲッジボックス３の底部には、ボディフレーム１１，１１にラゲッジボックス３を安定保持するための保持板１２が取付けられている。
【００２６】
これらボディフレーム１１，１１の外側には上部ブラケット１３，１３がそれぞれ設けられており、クランク状のエンジンハンガ１４がこれら上部ブラケット１３，１３に両端部を揺動可能に支承されている。また、このエンジンハンガ１４の中間部において下部ブラケット１５，１５が揺動可能に支承されている。したがって、ラゲッジボックス３の下部には、ボディフレーム１１，１１、保持板１２、上部ブラケット１３，１３、エンジンハンガ１４および下部ブラケット１５，１５により包囲され、車体１の幅方向に延在した空間部１６が形成されている。この空間部１６内にはスロットルボディ１７が収納されており、また、スロットルボディ１７の内部には吸気通路１７ａが前後方向かつ水平に延びるように配置されている。また、空間部１６内にスロットルボディ１７が収納されると、スロットルボディ１７の幅方向の外側には、スロットルボディ１７と上部ブラケット１３およびエンジンハンガ１４とを離間させる空間部１６ａ，１６ｂが形成される。
【００２７】
図２は、一部に断面を含んだスロットルボディの平面図である。
スロットルボディ１７の吸気通路１７ａには、これを開閉するバタフライ型のスロットルバルブ２１が配設され、これを支持するバルブ軸２２は、吸気通路１７ａを水平に横断して、スロットルボディ１７の左右両側壁に回転可能に支承させている。このバルブ軸２２の、スロットルボディ１７の一側方に突出する一端にはスロットルドラム２３が固着され、これに単一のスロットルケーブル２４と、スロットルバルブ２１を閉じ方向に付勢する戻しばね２５とが接続され、スロットルケーブル２４を図示しないスロットル操作部材により牽引することにより、スロットルバルブ２１は開放される。
【００２８】
バルブ軸２２の他端が突出するスロットルボディ１７の外側壁には、吸気通路１７ａと平行でバルブ軸２２と直交する連結フランジ２６が一体に形成され、この連結フランジ２６に、スロットルボディ１７とは別個に成形された合成樹脂製の制御ブロック２７が複数本のボルト２８，２８…をもって着脱可能に接合されている。
制御ブロック２７には、スロットルボディ１７に関する各センサ、すなわちスロットルバルブ２１の開度を検知するスロットルセンサ３１および吸気通路１７ａの上流の温度を検知する吸気温センサ４１が取付けられている。また、スロットルボディ１７には、連結フランジ２６と直交しながら吸気通路１７ａの上流側に開口するセンサ装着孔４２が設けられており、このセンサ装着孔４２に吸気温センサ４１が制御ブロック２７側から装着されている。
【００２９】
また、この制御ブロック２７は、連結フランジ２６と反対側の外端面を開放したボックス型をなしており、その外端面には、電子制御ユニット（ＥＣＵ）５１の基板５２（制御基板）が車体１の高さ方向に沿うように固定されている。この基板５２には、アライメントプレート５３が基板５２と平面を合わせるように装着されている。また、基板５２には、スロットルセンサ３１の接続子３１ａおよび吸気温センサ４１の接続子４１ａがそれぞれ接続されている。
【００３０】
また、ＥＣＵ５１は、図３，図４に示すように、加速度センサ５４と、ＣＰＵ５５と、メモリ６０とを備えている。加速度センサ５４は、加速度センサ本体５４ａを有していて車体１の高さ方向に沿うように基板５２に配置されている。この加速度センサ５４には、車体１の高さ方向を基準として、車体１の幅方向の加速度を検出する静電容量型センサが用いられている。したがって、この加速度センサ５４は、車体１が傾斜したときその傾斜角の正弦成分の重力加速度を検出する。なお、加速度センサ５４は、車体１の高さ方向を基準として重力加速度を検出する静電容量型センサを用いることを限定するものではなく、車体１の傾斜角の正弦成分の重力加速度を検出できればどのようなセンサを用いてもよい。また、この加速度センサ５４は、車体１の高さ方向に沿うように制御ブロック２７内に配置されていれば、必ずしも基板５２に配置されなくてもよい。
【００３１】
ＣＰＵ５５は、加速度センサ５４から検出された信号に基づいて車体１の傾斜角γを算出する傾斜角算出手段５６と、車体１が転倒したことを判断する転倒判断角度αを予め設定する転倒角度設定手段５７と、転倒判断角度αの誤差を考慮して誤差角度Δαを予め設定する誤差角度設定手段５７ａと、転倒判断角度αと誤差角度Δαから転倒判断閾値α±Δαの範囲β（α−Δα＜β＜α＋Δα）を設定する閾値範囲設定手段５８と、車体１の転倒を判断する転倒判断手段５９とを備えている。すなわち、ＥＣＵ５１は、加速度センサ５４から検出された信号に基づいてＣＰＵ５５によって車体１の傾斜角γを算出し、車体１の転倒を判断する転倒検出装置として機能するものである。なお、ＥＣＵ５１を用いて車体１の転倒を判断する手順については後述する。
メモリ６０は、傾斜角γに対する加速度センサ５４の出力電圧と、転倒判断閾値α±Δαの範囲βに対する出力電圧とを予めマップ化して記憶するものであり、電気的にデータの消去および書き込みが可能な不揮発性メモリ、例えばＥＥＰＲＯＭ（Electrically Erasable Programmable Read-Only Memory）を用いる。
【００３２】
制御ブロック２７の開放端面には、ＥＣＵ５１を収容するＡｌ合金板製のカバー６１が取付けられている。このカバー６１は、Ａｌ合金板をプレス成形してなるものであり、良好な外観が得られる。したがって、カバー６１は、制御ブロック２７の外観を良好にするので、自動二輪車のように制御ブロック２７を外部に露出させる場合に有効である。
また、制御ブロック２７には、カバー６１の開放端面に近接して、カバー６１内に連通しカバー６１と反対側に開口する図示しないポッティング口が設けられている。そして、カバー６１を下方に向けて、このポッティング口からカバー６１内に合成樹脂６２がポッティングされ、それによりＥＣＵ５１が包まれるとともに、カバー６１がシールされる。したがって、合成樹脂６２は、ＥＣＵ５１を雨水や塵埃、振動から保護し、特にカバー６１がシールされることによって防水、防塵を効果的に図ることができ、さらに合成樹脂６２の接着力によりカバー６１と制御ブロック２７との結合力を強化することができる。
【００３３】
また、制御ブロック２７の上部にはカプラ７１が設けられている。このカプラ７１は、制御ブロック２７に一体に成形され、ＥＣＵ５１の基板５２に接続される図示しない接続子を複数具備している。このカプラ７１の先端には、電源等に連なるワイヤハーネス７２を接続した外部カプラ７３が結合されている。なお、ＥＣＵ５１は、加速度センサ５４、ＣＰＵ５５のみならず、スロットルセンサ３１、吸気温センサ４１その他スロットルボディ１７に設けられた装置の作動をも制御するものであるため、信号および電力の授受はカプラ７１およびカプラ７１に接続される外部カプラ７３を介して行われる。
【００３４】
次に、上記スロットルボディ１７の制御ブロック２７に設けられた転倒検出装置の機能および作用について説明する。
自動二輪車の走行中にその車体１の傾斜角γを算出して、車体１を傾斜させながら走行中であるのか、あるいは車体１が転倒したのかを判断する。すなわち、転倒検出装置によって以下の手順で車体１の転倒を判断する。
【００３５】
図５は、車体１の傾斜角γ（車体１が実際に傾斜したときの傾斜角）と、その傾斜角γに対する加速度センサ５４から検出された出力電圧Ｖ（γ）との関係を参照するためのグラフである。
まず、車体１が傾斜したときの傾斜角γの正弦成分の重力加速度を加速度センサ５４で検出し、その検出信号を電圧に変換した値を図５のグラフで参照するために、車体１が右方向に傾斜したときに得られる最大電圧、および車体１が左方向に傾斜したときに得られる最小電圧を予め設定する。すなわち、車体１が右側に傾斜したときの角度を正として、車体１が右側に９０°（＋９０°）傾斜したときの電圧を最大電圧Ｖ（＋９０）とする一方、車体１が左側に９０°（−９０°）傾斜したときの電圧を最小電圧Ｖ（−９０）とする。そして、これら２つの電圧を基準として、車体１の傾斜角が０°となるときの電圧Ｖ（０）を算出する。ここで、Ｖ（０）は、
Ｖ（０）＝{Ｖ（＋９０）＋Ｖ（−９０）}／２
となる。
【００３６】
ここで、車体１の傾斜角が０°から所定の傾斜角θまで変化したときの電圧の変化量、すなわち電圧比率ＶＨは、
ＶＨ＝{Ｖ（＋９０）−Ｖ（−９０）}／２×ｓｉｎθ
となる。したがって、所定の傾斜角θにおける電圧Ｖ（θ）は、
Ｖ（θ）＝Ｖ（０）＋ＶＨ
となる。この式を用いて、所定の傾斜角θを−９０°〜＋９０°に変化させたときの所定の傾斜角θに対する電圧Ｖ（θ）を算出してマップ化し、メモリ６０に記憶しておく。
【００３７】
次に、車体１が転倒したことを判断する転倒判断角度αを転倒角度設定手段５７によって予め設定する。ここで、車体１の傾斜角が０°から転倒判断角度αまで変化したときの電圧の変化、すなわち電圧比率ＶＨ１は、
ＶＨ１＝{Ｖ（＋９０）−Ｖ（−９０）}／２×ｓｉｎα
となる。したがって、転倒判断角度αにおける電圧Ｖ（α）は、
Ｖ（α）＝Ｖ（０）＋ＶＨ１
となる。この転倒判断角度αにおける電圧Ｖ（α）をマップ化された電圧Ｖ（θ）とともにメモリ６０に記憶しておく。
【００３８】
ここで、加速度センサ５４には、温度ドリフト、温度経年変化、振動に対する経年変化、またはヒステリシス等の要因により、重力加速度の検出誤差が生じることがある。また、ＣＰＵ５５のＡ／Ｄ変換誤差（量子化誤差）または電源ＩＣのＶＣＣ電圧温度ドリフト等を要因としたＥＣＵ５１または基板５２による検出誤差が生じることがある。したがって、これらの要因を考慮して誤差角度設定手段５７ａによって誤差角度Δαを設定し、誤差角度Δαにおける電圧Ｖ（Δα）を設定する。そして、転倒判断角度αと誤差角度Δαから、閾値範囲設定手段５８によって転倒判断閾値α±Δαの範囲β（α−Δα＜β＜α＋Δα）を設定し、転倒判断閾値の範囲βにおける電圧Ｖ（β）を設定する。これら電圧Ｖ（Δα）およびＶ（β）をマップ化された電圧Ｖ（θ），Ｖ（α）とともにメモリ６０に記憶しておく。
その後、加速度センサ５４によって車体１の傾斜角γの正弦成分の重力加速度の信号を検出し、その信号に基づいて傾斜角算出手段５６によって車体１の傾斜角γを算出する。このとき、その信号を電圧に変換して、傾斜角γにおける電圧Ｖ（γ）を出力する。
【００３９】
そして、メモリ６０に記憶された所定の傾斜角θに対する電圧Ｖ（θ）を示すマップを参照して、傾斜角γにおける電圧Ｖ（γ）を転倒判断閾値の範囲βにおける電圧Ｖ（β）と比較する。このとき、傾斜角γにおける電圧Ｖ（γ）が転倒判断閾値の範囲βにおける電圧Ｖ（β）の範囲内、すなわち、
Ｖ（α−Δα）＜Ｖ（γ）＜Ｖ（α＋Δα）
であれば、車体１が転倒したと判断する。一方、傾斜角γにおける電圧Ｖ（γ）が転倒判断閾値の範囲βにおける電圧Ｖ（β）の範囲外である場合、車体１が傾斜しながら走行中であり車体１が転倒していないと判断する。なおこのとき、車体１が右側に傾斜したときの角度を正として判断するが、車体１が右側に傾斜して傾斜角γにおける電圧Ｖ（γ）が正であった場合のみならず、車体１が左側に傾斜して傾斜角γにおける電圧Ｖ（γ）が負であった場合でも上記の式を用いることができる。
【００４０】
このようにして、転倒検出装置として機能するＥＣＵ５１によって車体１が転倒したと判断した場合、車体１に搭載された図示しないエンジンを制御してエンジンの作動を停止させる。これによって、車体１が転倒してもエンジンが作動し続けることで起こり得る弊害を回避することができる。
【００４１】
このような転倒検出装置において、スロットルボディ１７の幅方向の一端には、スロットルドラム２３、スロットルケーブル２４、および戻しばね２５が設けられている。そのため、制御ブロック２７をスロットルボディ１７と一体に取付ける際、その取付位置が制限され、スロットルボディ１７の他端、すなわちスロットルドラム２３と反対側の端部に設けなければならない。そこで、制御ブロック２７の内部において、自動二輪車の車体１の高さ方向に沿うように基板５２が設置され、その基板５２に沿うように加速度センサ５４を配置すると、加速度センサ５４を設置するための余分な空間を要することなく、制御ブロック２７の内部の限られた空間内で加速度センサ５４を設置することが可能となる。
また、車体１の高さ方向に沿うように設置された基板５２に加速度センサ５４を設置することにより、スロットルボディ１７に関する各センサを基板５２に集約することができる。その結果、これら各センサを設置するシート下の空間部１６を小さくすることができる。
【００４２】
このように設置された加速度センサ５４が、車体１が傾斜したときに傾斜角γの正弦成分の重力加速度を傾斜角γにおける電圧Ｖ（γ）で検出する際、傾斜角０°における電圧Ｖ（０）から転倒判断角度α（通常は傾斜角７０°〜９０°の間の値）における電圧Ｖ（α）までの変化量が大きくなるため、傾斜角γが転倒判断角度α付近となったとき、電圧Ｖ（０）からの変化量が大きい電圧Ｖ（γ）を容易に検出でき、転倒判断手段５９によって車体１の転倒を判断しやすくなる。
したがって、加速度センサ５４を車体１の高さ方向に沿うように配置しても、車体１の転倒を容易に判断することができる。
【００４３】
また、加速度センサ５４に車体１の高さ方向を基準として、車体１の幅方向の加速度を検出する静電容量型センサを用いることで、車体１の高さ方向に沿うように加速度センサ５４を配置すると、加速度センサ５４が車体１の幅方向に作用する加速度を検出する。すなわち、車体１が傾斜したときに傾斜角γの正弦成分の重力加速度を検出することとなる。
したがって、加速度センサ５４を車体１の高さ方向に沿うように配置しても車体１の傾斜角γを容易に検出することができる。
【００４４】
また、ラゲッジボックス３の下方に設けられた空間部１６は、車体１の構成上、車体１の幅方向に延在している。そこで、スロットルボディ１７を空間部１６に設置することで、加速度センサ５４が制御ブロック２７内で車体１の高さ方向に沿うように配置されるため、加速度センサ５４が設置される制御ブロック２７の外側には空間部１６ａが形成される。このように、スロットルボディ１７に取付けられた制御ブロック２７と、空間部１６を形成する車体１の上部ブラケット１３およびエンジンハンガ１４とが離間することで、車体１が転倒してもその衝撃が制御ブロック２７に直接伝達されにくくなるため、加速度センサ５４が転倒による衝撃を回避しやすくなる。したがって、車体１が転倒しても、加速度センサ５４の衝撃による不具合を回避でき、加速度センサ５４を正常に作動させることができる。また、この場合、制御ブロック２７をスロットルボディ１７の上部に配置する必要がないため、ラゲッジボックス３の下方の空間部１６を上下方向に増加させる必要がない。したがって、自動二輪車に乗車したときの足付き性を確保することができる。
【００４５】
また、車体１の傾斜角γと転倒判断閾値の範囲βとを比較して車体１の転倒を判断するために、傾斜角γにおける電圧Ｖ（γ）と転倒判断閾値の範囲βにおける電圧Ｖ（β）とを比較し、傾斜角γにおける電圧Ｖ（γ）が転倒判断閾値の範囲βにおける電圧Ｖ（β）の範囲内であれば車体１が転倒したと判断する。これによって、車体１が転倒した状態であるか、あるいは二輪車が車体１を傾斜させながら走行中であるかを容易に識別することが可能となる。したがって、自動二輪車が車体１を傾斜させながら走行中であるにもかかわらず車体１が転倒したと誤認することなく、車体１の転倒を確実に判断することができる。
【００４６】
また、車体１の傾斜角θを−９０°〜＋９０°に変化させたときの所定の傾斜角θに対する電圧Ｖ（θ）を予めマップ化してメモリ６０に記憶しておくことで、傾斜角γにおける電圧Ｖ（γ）を転倒判断閾値の範囲βにおける電圧Ｖ（β）と比較する時間を短縮することが可能となる。したがって、傾斜角γにおける電圧Ｖ（γ）が転倒判断閾値の範囲βにおける電圧Ｖ（β）の範囲内であるか否かによって車体１の転倒を判断するまでの時間を短縮することができる。
【００４７】
なお、上記実施の形態において、転倒判断手段５９によって加速度センサ５４から検出された信号に基づいて車体１の転倒を判断できれば、傾斜角算出手段５６、転倒角度設定手段５７、誤差角度設定手段５７ａ、閾値範囲設定手段５８およびメモリ６０を具備しなくてもよい。
【００４８】
また、上記実施の形態において、傾斜角γにおける電圧Ｖ（γ）と転倒判断閾値の範囲βにおける電圧Ｖ（β）とを比較し、傾斜角γにおける電圧Ｖ（γ）が転倒判断閾値の範囲βにおける電圧Ｖ（β）の範囲内であったときに始動するタイマーをＥＣＵ５１に設置してもよい。この場合、タイマーを始動させて、一定期間、例えば１０秒間、傾斜角γにおける電圧Ｖ（γ）が転倒判断閾値の範囲βにおける電圧Ｖ（β）の範囲内であったときに、転倒判断手段５９によって車体１が転倒したと判断することとなる。
【００４９】
例えば競技用バイクがレースで走行する場合、車体１を大きく傾斜させて走行することがあるため、走行中に車体１の傾斜角γが転倒判断角度αにほぼ一致する状態となることがある。しかし、一時的にこのような走行状態であった場合でも、１０秒を経過する前に車体１の傾斜角γが０°の方向に復帰して、車体１の傾斜角γが転倒判断角度αから外れる。そこで、傾斜角γにおける電圧Ｖ（γ）が転倒判断閾値の範囲βにおける電圧Ｖ（β）の範囲内、すなわち、
Ｖ（α−Δα）＜Ｖ（γ）＜Ｖ（α＋Δα）
であったときにタイマーを始動させて１０秒間待機し、その時間が経過した後において電圧Ｖ（γ）が電圧Ｖ（β）の範囲内、すなわち、
Ｖ（α−Δα）＜Ｖ（γ）＜Ｖ（α＋Δα）
であったとき、車体１が転倒したと判断する。これによって、車体１を大きく傾斜させた状態で走行中であるか、あるいは車体１が転倒したかを識別することが可能となる。したがって、自動二輪車が車体１を傾斜させながら走行中であるにもかかわらず車体１が転倒したと誤認することなく、車体１の転倒を確実に判断することができる。
また、競技用バイクがレース中に転倒した場合でも、一定期間が経過するまでの間、車体が転倒したと判断しないため、その間はエンジンを停止させる等の制御を行わない。したがって、このようにタイマーを設けたことで、競技用バイクが転倒してもその直後にエンジンを再始動するような手間を要することなくレースに復帰することが可能である。したがって、競技用バイクのレース中におけるタイムロスを防止することができる。
【図面の簡単な説明】
【００５０】
【図１】本発明の実施の形態に係る転倒検出装置を設けた車体の部分断面図である。
【図２】本発明の実施の形態に係る転倒検出装置を設けたスロットルボディの部分断面を含む平面図である。
【図３】本発明の実施の形態に係る転倒検出装置に設けられた加速度センサの概略断面図である。
【図４】本発明の実施の形態に係る転倒検出装置のブロック図である。
【図５】車体の傾斜角に対する出力電圧を示す図である。
【符号の説明】
【００５１】
１  車体
２  シート
１６  空間部
１７  スロットルボディ
１７ａ  吸気通路
２７  制御ブロック
５１  電子制御ユニット（ＥＣＵ、転倒検出装置）
５２  基板（制御基板）
５４  加速度センサ
５５  ＣＰＵ
５６  傾斜角算出手段（ＣＰＵ）
５７  転倒角度設定手段（ＣＰＵ）
５７ａ  誤差角度設定手段（ＣＰＵ）
５８  閾値範囲設定手段（ＣＰＵ）
５９  転倒判断手段（ＣＰＵ）
６０  メモリ
６１  カバー
【図１】
2006056307.tif 000003
【図２】
2006056307.tif 000004
【図３】
2006056307.tif 000005
【図４】
2006056307.tif 000006
【図５】
2006056307.tif 000007